(57)【要約】【課題】  ボードマーカーによる筆記及び筆記した事項の拭取消去が可能な筆記シートにおいて、会社や学校で一般的に使用されているさまざまな壁面に貼り付けることができ、複雑な加工や、粘着力を維持するための手間を必要としないことを特徴とする筆記シートを実現する。【解決手段】  筆記シートの周縁に、裏面に粘着性を有するタブを設けることで、ガラス面などのさまざまな壁面に貼り付けることができる。また、タブを設けることにより、裏面に粘着性を有する平板片を固着させることもでき、その平板片は水洗によって粘着力の復元が可能で、繰り返し使うことができる。また、複雑な加工技術を必要としないため製造コストを低く抑えることができる。【選択図】図2
2014091258.tif 000002
【特許請求の範囲】
【請求項１】
ボードマーカーによる筆記及び筆記した事項の拭取消去が可能で屈曲可能な筆記シートにおいて、前記筆記シートを使用するときに上辺となる周縁に少なくとも１個以上のタブを有し、前記タブの筆記面とは異なる裏側の面は粘着性があることを特徴とするタブ付き筆記シート。
【請求項２】
前記タブの筆記面とは異なる裏側の面に、外表面が粘着性を有する平板片を固着してあることを特徴とする請求項１記載のタブ付き筆記シート。
【請求項３】
前記タブの裏面の粘着性を有する平板片は水洗いにより粘着性が復元することを特徴とする請求項１または請求項２記載のタブ付き筆記シート。
【請求項４】
前記タブは、前記筆記シートの筆記面と一体的に形成されていることを特徴とする請求項１、請求項２または請求項３記載のタブ付き筆記シート。
【発明の詳細な説明】
【技術分野】
【０００１】
本発明は、軽量で屈曲可能であるため丸めて容易に持ち運びをすることができ、また、ボードマーカーによる筆記およびその消去が可能なため繰り返し使うことができる筆記シートの周縁に、裏面に粘着性の有するタブを設けることにより、会社や学校等の建物の壁面や棚等に貼ることを可能にする筆記シートに関するものである。
【背景技術】
【０００２】
ボードマーカーによる筆記およびその消去が可能であり、シートの粘着面全面が磁気を用いて壁面等に繰り返し着脱が可能な筆記シートがある（例えば、商品名「マグフィット」、シーアイ化成株式会社製）。
【０００３】
ボードマーカーによる筆記およびその消去が可能であり、静電気を用いて壁に貼り付けるシートもある（例えば、商品名「ライティングシート」、光和インターナショナル社製）。この場合、静電気で貼り付けるために重さに限界があり、軽量化を図るために厚さが０．０５ｍｍに設定されている。
【０００４】
特許文献１は基材と記入層の間に小さな複数の磁性体を、間隔をおいて点在させた屈曲可能なボードである。このボードは基材の裏面（記入層と反対側）の全体にアクリル発泡体とウレタン発泡体で形成した極めて小さい気泡を有し、裏面全体を保護フィルムで覆っている。ボードを壁に押し付けると前記気泡の吸盤作用によってボードが壁に固定される。そのため、油分や埃、塵などの汚れが吸着面に付着し、吸着力が低下する。この汚れを取るためには水ぶきを行い、吸着力を復元するためには不純物を容易に取り除く特別な薬品を塗布しなければならない。
【先行技術文献】
【特許文献】
【０００５】
【特許文献１】特開２００８−１０７９
【発明の概要】
【発明が解決しようとする課題】
【０００６】
しかしながら、上記の粘着面に磁気を用いて壁に貼り付ける筆記シートは、壁面が強磁性体であることが必要であり、貼り付ける壁面が限定される。また、粘着面全体に磁気を用いるため、シート製造のコストが高くなる。
【０００７】
また、上記の静電気を用いて壁に貼り付ける筆記シートは、静電気による粘着力が弱いため、重みに耐えられるようにシートが薄いものでなければならない。そのため、書いているときに頻繁にしわが発生し、かつ、書いた文字が消しにくく、さらに筆跡が残ることがある。また、静電気が時間の経過とともに弱くなり、吸着力が弱まるため、繰り返し使うことに適しない。
【０００８】
さらに、特許文献１の筆記シートは、基材の裏面全体に極めて小さい気泡を形成する構造が複雑なため製造にコストがかかる。さらに裏面全体が粘着面であり気泡の吸盤作用を使用するため汚れがつきやすく、汚れ落としに手間がかかる。また、気泡に汚れが付いて吸着力が弱くなった場合には、不純物を容易に取り除くための特別な薬品を塗布し、吸着力を復元させなければならない。
【０００９】
特別な技術のいらない簡易な方法として、筆記シートの裏面に両面シールを張り付けて壁面に筆記シートを張り付けるという方法がある。しかし収納や持ち運びの際には、筆記シートの裏面に張り付けた粘着物質に他の部分への付着を防ぐための保護フィルムを貼らなければならず、手間がかかる。
【００１０】
本発明は上述した事情に鑑み、会社や学校で一般的に使用されているさまざまな壁面に貼り付けることができ、複雑な加工や、粘着力を維持するための手間、さらに収納の際の手間を必要としないことを特徴とする筆記シートを実現することである。
【課題を解決するための手段】
【００１１】
前記課題を解決するために、本発明では、多角形の筆記シートの周縁にタブを設け、当該タブに粘着性を付与している。
【００１２】
筆記シートの厚さを０．０６〜２ｍｍにすることで、シートが薄くなりすぎず、かつ柔軟性を保てるため、シートにしわが発生することを防ぐことができる。
【００１３】
筆記シートのタブの裏面に粘着性を有する平板片を固着したときは、タブに限定したシートの一部分に貼り付けているため取り外しが可能で、汚れが付着し粘着力が弱まった際に、水洗をすることで粘着力を復元することができる。
【発明の効果】
【００１４】
本発明によると、筆記シートの周縁に、裏面に粘着性を有するタブを設け、壁面が強磁性であることを問わず、ガラス面などのさまざまな壁面に貼り付けることができる。また、複雑な加工技術を必要としないため製造コストを低く抑えることができる。さらに、粘着性を有する平板片を固着させた場合には、水洗によって粘着力の復元が可能で、繰り返し使うことに適している。そのため、粘着力を維持するための手間を省き、コストも低く抑えることができる。
【００１５】
筆記シートを収納する際は、周縁に設けられているタブを筆記シート本体の裏面に向かって折り曲げることで、保護フィルムを使用することなく、他の部分への粘着を防止できる。また、筆記シートを丸めて裏面に粘着性を有するタブを筆記シートに留めることにより屈曲形を維持することができ、容易に持ち運びすることができる。
【００１６】
タブの裏面に粘着性を有する平板片を設けた場合には、筆記シートを壁面に貼りつける際、平板片が筆記面の裏面にあたらない。そのため、筆記シートを壁面に貼りつけて使用する際に筆記面に発生する凸をなくすことができる。
【図面の簡単な説明】
【００１７】
【図１】本発明のタブ付き筆記シートの表面図。
【図２】本発明のタブ付き筆記シートの裏面図。
【図３】本発明のタブ付き筆記シート裏面に設置した粘着性を有する平板片の拡大図。
【図４】本発明の実施例であるタブを対向する２辺に１個ずつ設けたタブ付き筆記シート。
【図５】本発明の実施例であるタブを上辺と下辺２個ずつ設けたタブ付き筆記シート。
【図６】本発明の実施例であるタブを上辺のみに設けたタブ付き筆記シート。
【図７】本発明の実施例であるタブを２辺に複数個設けたタブ付き筆記シート。
【図８】本発明の実施例である多角形のタブ付き筆記シート。
【図９】本発明の実施例である円形のタブ付き筆記シート。
【図１０】本発明のタブ付き筆記シートを巻いている段階。
【図１１】本発明のタブ付き筆記シートの屈曲形。
【図１２】本発明のタブ付き筆記シートを製造する段階における加工方法の一例。
【符号の説明】
【００１８】
（１）  タブ付き筆記シートの表面
（２）  タブ付き筆記シートの裏面
（３）  粘着性を有する平板片
（４）  タブ
（５）  切断線
【発明を実施するための最良の形態】
【００１９】
まず、本発明のタブ付き筆記シートについて図を用いて説明する。図１は本発明のタブ付き筆記シート（１）の表面図を示し、図２はタブ付き筆記シートの裏面（２）を示し、図３はタブ付き筆記シートの裏面（２）に設けられた粘着性を有する平板片（３）を貼りつけたタブ（４）の拡大図を示し、図４〜図７はタブ（４）の付け方の様々なパターンを示し、図８は多角形のタブ付き筆記シート（１）の表面図を示し、図９は円形のタブ付き筆記シート（１）の表面図を示し、図１０はタブ付き筆記シート（１）を巻いている段階を示し、図１１はタブ付き筆記シート（１）の屈曲形を示し、図１２はタブ付き筆記シート（１）を製造する際に切断する箇所を示した切断線（５）を示している。
【００２０】
筆記シートの素材には、薄くて丈夫で、文字の消去が容易なポリプロピレンを使用することが好ましい。しかし、ボードマーカー等により筆記した文字が拭取消去することが可能な素材であれば使用することができる。
【００２１】
筆記シートのサイズは、タブ付き筆記シート（１）は複数人で閲覧することを前提としているので、ある程度の大きさを確保する必要があるが、容易にタブ付き筆記シート（１）を丸めて持ち運びするため、Ａ１規格の５９４×８４１ミリにすることが好ましい。
【００２２】
タブ付き筆記シート（１）を複数回着脱すると、粘着性を有する平板片（３）に油や埃、塵などが付着して粘着力がなくなる場合がある。この場合、粘着性を有する平板片（３）はタブ付き筆記シート（１）から着脱可能であり、新しい粘着性を有する平板片（３）を使用することもできるが、繰り返し使用するために、水洗することで容易に粘着力を復元できるポリウレタンであることが好ましい。
【００２３】
タブ付き筆記シート（１）に設けられているタブ（４）の数は、ボードマーカー等による筆記をする際に、タブ付き筆記シート（１）に安定感を持たせるため、タブ（４）がない箇所が壁面から離れないように上辺の端２個と下辺の中央１個に設けることが好ましい。しかし、タブ（４）を図４のように対向する２辺に１個ずつ設けることや、図５のように上辺と下辺２個ずつ設けること、図６のように上辺のみに設けることや、図７のように２辺に複数個設けることなど、様々な組み合わせで設けても使用することができる。
【００２４】
また、図１２のようにタブ（４）の数を上辺２個と下辺１個にし、切断線（５）に沿って切断することによって、製作の際に廃棄する部分が発生せず、素材とコストを節約し、製造工程を簡易化し、同じ形のタブ付きの筆記シート（１）を作ることができる。当該タブ（４）は筆記シートの一部で形成してもよいし、別途製作し筆記シートの辺に接着剤により固定してもよい。
【００２５】
筆記シートの形は、図８の六角形等の多角形や、図９の円形などのどのような形でも使用することができるが、［００２２］の利点を生かすため、筆記シートは四角形であることが好ましい。
【００２６】
当該タブ付き筆記シート（１）を収納する際は、一辺に設けられている１個のタブ（４）を筆記シート本体の裏面（２）に向かって折り曲げ粘着性を有する平板片（３）をシートに付着させることにより、粘着性を有する平板片（３）が他の部分へ付着すること、また、粘着面に埃などが付着することを防止することができる。
【００２７】
図１０のようにタブ（４）を折り曲げた一辺から、対向する一辺に向かって巻いていき、図１１のように残りの一辺の２個のタブ（４）に設置してある粘着性を有する平板片（３）で屈曲形に留めることができる。
【図１】
2014091258.tif 000003
【図２】
2014091258.tif 000004
【図３】
2014091258.tif 000005
【図４】
2014091258.tif 000006
【図５】
2014091258.tif 000007
【図６】
2014091258.tif 000008
【図７】
2014091258.tif 000009
【図８】
2014091258.tif 000010
【図９】
2014091258.tif 000011
【図１０】
2014091258.tif 000012
【図１１】
2014091258.tif 000013
【図１２】
2014091258.tif 000014